(57)【要約】      （修正有）【課題】電子表示装置の背景表示色を改変でき、コンパクトで、小型スキャナー及びパーム型スキャナーへの設置に適しているスキャナーの背景転換装置を提供する。【解決手段】スキャナーの背景転換装置は、スキャナー２中に設置し、スキャナー２は処理ユニット、電子表示装置を備え、スキャナー２はハウジング３８、ハウジング３８内に設置するトランスミッティングチャンネル１４、トランスミッティングチャンネル１４片側に設置する画像イメージングモジュール４０を備える。処理ユニットはインプット信号を受信し、インプット信号に基づき制御信号を発し、電子表示装置はトランスミッティングチャンネル１４の他方側に、画像イメージングモジュール４０と相対して設置し、制御信号を受信し、制御信号に基づき表示色を改変する。以上の構成により、背景転換装置はインプット信号に基づき、表示する色を改変できるようになる。【選択図】図１
0003160104.tif 000002
【実用新案登録請求の範囲】
【請求項１】
スキャナー中に設置し、処理ユニット、電子表示装置を備え、
前記スキャナーには、ハウジング、前記ハウジング内に設置するトランスミッティングチャンネル、前記トランスミッティングチャンネル片側に設置する画像イメージングモジュールを備え、
前記処理ユニットは、インプット信号を受信し、前記インプット信号に基づき、制御信号を発し、
前記電子表示装置は、前記トランスミッティングチャンネルの他方側に、前記画像イメージングモジュールと相対して設置し、前記制御信号を受信し、前記制御信号に基づき、表示色を改変することを特徴とするスキャナーの背景転換装置。
【請求項２】
請求項１記載のスキャナーの背景転換装置において、前記電子表示装置は、駆動回路、導線、表示基板を備え、
前記駆動回路は、前記処理ユニットに連接し、前記制御信号を受信し、前記制御信号に基づき、駆動信号を発し、
前記導線は、前記駆動回路に連接し、前記駆動信号を伝送し、
前記表示基板は、前記導線に連接し、前記駆動信号を受信し、前記駆動信号に基づき、表示色を改変することを特徴とするスキャナーの背景転換装置。
【請求項３】
請求項２記載のスキャナーの背景転換装置において、前記表示基板は、透明板、バックプレート電極板、多数のマイクロカプセルを備え、
前記透明板は、スキャナーモジュールと相対して設置し、
前記バックプレート電極板は、前記導線に連接し、
前記多数のマイクロカプセルは、前記バックプレート電極板と前記透明板との間に設置し、前記各マイクロカプセルには、負電荷を帯びた濃色媒質と正電荷を帯びた薄色媒質を設置することを特徴とするスキャナーの背景転換装置。
【請求項４】
請求項３記載のスキャナーの背景転換装置において、前記負電荷を帯びた濃色媒質は、黒色半球体で、
前記正電荷を帯びた薄色媒質は、白色半球体であることを特徴とするスキャナーの背景転換装置。
【請求項５】
請求項４記載のスキャナーの背景転換装置において、前記透明板は、透明電極板であることを特徴とするスキャナーの背景転換装置。
【請求項６】
請求項１記載のスキャナーの背景転換装置において、前記スキャナーの背景転換装置はさらに、感知ユニットを備え、
前記感知ユニットは、前記トランスミッティングチャンネル片側に設置し、前記画像イメージングモジュールの上流位置に位置し、紙の色を探知し、前記インプット信号を発することを特徴とするスキャナーの背景転換装置。
【請求項７】
請求項１記載のスキャナーの背景転換装置において、前記スキャナーの背景転換装置はさらに、インプットユニットを備え、
前記インプットユニットは、前記ハウジング外部に設置し、外部からの操作を受けて、前記インプット信号を発することを特徴とするスキャナーの背景転換装置。
【考案の詳細な説明】
【技術分野】
【０００１】
本考案は背景転換装置に関し、特にスキャナーに応用する背景転換装置に関する。
【背景技術】
【０００２】
シートフィードスキャナーにおいて、スキャナーピックアップヘッドは固定されているため、紙は、ローラーにより持ち出され、スキャナーピックアップヘッドを通過し、画像が走査される。一方、一般のシートフィードスキャナーの背景装置の色は、固定であるため、紙の色が薄い(通常は白色)時には、背景装置を手動で濃い色(通常は黒色)に換える必要がある。つまり、紙が濃い色である時には、背景装置を手動で薄い色に換える必要があり、紙と背景装置の色がコントラストを形成することにより、紙の辺縁の探知と紙のゆがみの校正に有利となる。
【０００３】
また、文書の厚みが非常に薄く、しかも白色で、かつ裏表両面共に濃い色の文字がある状況で、背景が白色である場合に、文書の正面を走査する際には、文書の背面の文字或いは図像は、文書の正面まで透き通ってしまい、画像干渉を引き起こす。しかし、背景が濃い色であれば、この種の干渉は大幅に改善される。
【０００４】
スキャナーピックアップヘッドが画像の校正を行う時には、一般には白色及び黒色の背景装置を使用する。これにより、スキャナーピックアップヘッド内の各感光部品の出力に対して、各種のパラメータの調整を行い、こうして各感光部品は最良の感光性能を達成し、よりリアルに近い色彩を取得することができる。
【０００５】
現在、背景装置を交換する際には、使用者が手動で校正片を入れる方式で、白黒(濃淡)の校正を行っている。しかし、校正が必要な時には、使用者は製品のメーカーが提供する白黒校正片を、毎回取り出し、手動で入れる必要があるため、使用者は製品のメーカーが提供する白黒校正片を、別に保存しなければならず、非常に不便である。そのため、背景転換装置は、徐々にスキャナーの必須構成部品になりつつある。
【０００６】
特許文献１が掲示する従来の背景転換装置は、スキャナーの校正機構を掲示する。それは、透過光源、開口を備える校正部品、反射光源、スキャナーモジュールを備える。校正部品は、透過光源の外周に嵌めて設置し、しかも反射光源と校正部品は相対する。カラースケール校正を行う時、校正部品はある角度の転動を行う。これにより、反射光源は校正光源の表面を照らし、しかも反射光線はスキャナーモジュール内に進入する。透き通る文書を走査する時、透過光源の光線は、校正部品の開口と透き通る文書を透過し、スキャナーモジュールに進入する。
よって、走査前のカラースケール校正は、駆動装置により校正部品を駆動し、これにより校正部品は、反射光源の表面に相対して無開口状態となり、及び反射光源は、校正部品の無開口の表面に照射し、スキャナーモジュールと反射光線を取得し完成する。
【０００７】
特許文献２が掲示する従来の背景転換装置は、スキャナーの多背景装置とその原理を利用する校正装置を掲示する。それは、回転軸、及び回転軸に沿って上方へと形成する低光線反射率エリアと高光線反射エリアを備える。回転軸は、異なる反射率のエリアにより、光学モジュールに対応する時、これに基づき異なる走査背景色を提供する。回転軸が光学モジュールに相対して転動すると、光学モジュールは転動する回転軸表面から、複数本の走査線を取得し、これによりカラースケール校正に用いる。
【０００８】
特許文献３が掲示する従来の背景交換装置は、背景切換機能を備えるシートフィードスキャナーを掲示する。スキャナーモジュールは、シートフィード機構が伝送し走査エリアを通過した文書を走査し、走査エリア中の背景部品に静止する。スキャナーモジュールは、画像センサー、レンズ、少なくとも１個の反射鏡を備える。アクチュエーターは、少なくとも１個の反射鏡を駆動し、これにより画像センサーは、レンズ及び少なくとも１個の反射鏡を通して、背景部品の複数の異なる光線反射率の部位のうちの一つを選択的に感知し、こうして文書の走査背景を感知する。
【０００９】
しかし、上記した校正機構は、校正装置を転動させ、或いは反射鏡を転動させる方式で、走査背景を変換することができるが、そのためにスキャナーには駆動装置、アクチュエーター、校正装置を設置するための空間が必要である。よって、この種の校正機構では、スキャナーの体積を増大させてしまい、電子装置小型化の現在のトレンドには合っていない。
【先行技術文献】
【特許文献】
【００１０】
【特許文献１】台湾特許第I２７７３３９号明細書
【特許文献２】台湾特許第M２６２９３６号明細書
【特許文献３】台湾特許第M２６８８３７号明細書
【考案の概要】
【考案が解決しようとする課題】
【００１１】
本考案の目的は、体積が小さいため、占拠する設置空間を縮小することができるスキャナーの背景転換装置を提供することである。
【課題を解決するための手段】
【００１２】
前述目的を達成する為に、本考案は下記のスキャナーの背景転換装置を提供する。
スキャナーの背景転換装置は、スキャナー中に設置し、処理ユニット、電子表示装置を備え、該スキャナーは、ハウジング、該ハウジング内に設置するトランスミッティングチャンネル、該トランスミッティングチャンネル片側に設置する画像イメージングモジュールを備える。
該処理ユニットは、インプット信号を受信し、該インプット信号に基づき、制御信号を発し、該電子表示装置は、該トランスミッティングチャンネルの他方側に、該画像イメージングモジュールと相対して設置し、該制御信号を受信し、該制御信号に基づき、表示色を改変する。
【考案の効果】
【００１３】
本考案スキャナーの背景転換装置は、インプット信号に基づき、電子表示装置の背景表示色を改変でき、しかもコンパクトであるため、設置に必要なスペースを節減でき、よって電子製品の小型化に有利で、小型スキャナー及びパーム型スキャナーへの設置に適している。
【図面の簡単な説明】
【００１４】
【図１】本考案背景転換装置をシートフィードスキャナーに設置する様子を示す表示図である。
【図２】本考案背景転換装置第一実施例のブロックチャートである。
【図３】本考案電子表示装置第一実施例の表示図である。
【図４】本考案電子表示装置とスキャナーモジュールの相対位置を示す表示図である。
【図５】本考案電子表示装置第二実施例の表示図である。
【図６】本考案背景転換装置第二実施例のブロックチャートである。
【考案を実施するための形態】
【００１５】
本考案の技術内容、構造特徴、達成する目的、及び効果を明らかにする為に、次に実施例を挙げ図面を参照しながら詳細説明を行う。
【００１６】
図１、２に示すように、本考案スキャナーの背景転換装置１は、シートフィードスキャナー２中に設置し、感知ユニット４、処理ユニット６、電子表示装置８を備える。シートフィードスキャナー２には、スキャナー１０、スキャナー１０上に装置する自動シートフィード装置１２を設置する。
自動シートフィード装置１２には、トランスミッティングチャンネル１４、フィードトレイ１６、取り入れローラー１８、セパレートローラーユニット２０、トランスミッティングローラーユニット２２、取り入れローラーユニット２４を設置する。フィードトレイ１６には、上流開口２６と下流開口２８を設置する。フィードトレイ１６は、上流開口２６位置に設置し、処理を待つ文書Ｐを載せる。取り入れローラー１８は、上流開口２６位置に設置し、文書Ｐをピックアップし、文書Ｐをフィードトレイ１６からトランスミッティングチャンネル１４内へと送り込む。
【００１７】
セパレートローラーユニット２０は、上流開口２６位置に設置し、取り入れローラー１８の下流に位置する。セパレートローラーユニット２０には、セパレート主動ホイール３０、セパレート停止ホイール３２を設置し、重なった文書を分離し、単一文書を順番にトランスミッティングチャンネル１４内に送り込む。トランスミッティングローラーユニット２２は、トランスミッティングチャンネル１４内の相対する両側にそれぞれ設置する。各トランスミッティングローラーユニット２２には共に、主動ホイール３４と受動ホイール３６を設置し、これにより文書Ｐを上流開口２６から下流開口２８へと送る。取り入れローラーユニット２４は、トランスミッティングチャンネル１４の下流開口２８位置に設置し、文書Ｐを下流開口２８へと送り出す。具体的な実施時には、セパレート停止ホイール３２は、セパレート片に置換することができる。
スキャナー１０には、ハウジング３８、画像イメージングモジュール４０を設置する。画像イメージングモジュール４０は、ハウジング３８内に設置し、しかもトランスミッティングチャンネル１４の片側に位置する。画像イメージングモジュール４０には、光源４２、透明基板４４、反射板４６、感知部品４８を設置する。
電子表示装置８と透明基板４４とは、トランスミッティングチャンネル１４の中段位置の相対する両側にそれぞれ設置する。感知ユニット４は、トランスミッティングチャンネル１４片側に設置し、上流開口２６と画像イメージングモジュール４０との間に位置する。本実施例中では、感知ユニット４の位置は、セパレートローラーユニット２０に近接する下流位置である。処理ユニット６は、電子表示装置８と感知ユニット４との間に連接する。
【００１８】
図３に合わせて示すように、本実施例では、表示装置８には、駆動回路５０、表示基板５２、配線５４を設置する。表示基板５２には、バックプレート電極板５６、透明電極板５８、多数のマイクロカプセル６０を設置する。マイクロカプセル６０は、透明の円球体で、バックプレート電極板５６と透明電極板５８との間に設置する。各マイクロカプセル６０の内部には、すべて透明流体６２、多数の負電荷を帯びた黒色媒質６４、多数の正電荷を帯びた白色媒質６６を設置する。
シートフィードスキャナー２を起動して作動すると、処理ユニット６は、制御信号を駆動回路５０へと発信する。駆動回路５０は、制御信号に基づき、駆動信号を発信し、バックプレート電極板５６の極性を正極に改変する。これによりマイクロカプセル６０内の白色媒質６６は、透明電極板５８に向かい移動し、黒色媒質６４は、バックプレート電極板５６に向かい移動する。こうして、表示基板５２は、白色画面を表示することができる。続いて、画像イメージングモジュール４０は、白色画面を呈する電子表示装置８を利用して、校正動作を行う。
【００１９】
すなわち、処理ユニット６は、表示基板５２を制御して、黒色画面を表示することもできる。よって、画像イメージングモジュール４０は、白色画面或いは黒色画面を呈する電子表示装置８を利用して、色彩構成動作を行うことができる。
シートフィードスキャナー２が文書を走査する際には、文書をフィードトレイ１６上に重ねて置く。この時、文書の走査面を上向きにする。取り入れローラー１８は、最上方の文書Ｐを連動して、トランスミッティングチャンネル１４の上流開口２６へと送り入れる。セパレートローラーユニット２０は、文書を分離し、順番に文書Ｐをトランスミッティングチャンネル１４中に送り入れる。文書Ｐが、感知ユニット４を通過すると、感知ユニット４は、文書Ｐ走査面の色を感知し、続いて、感知信号を発し、処理ユニット６へと伝送する。処理ユニット６は、感知信号を受信し、判断後、感知信号に基づき、制御信号を電子表示装置８へと発信し、電子表示装置８が表示する色を決定する。
【００２０】
図４に示すように、具体的な実施時には、表示装置８の透明電極板５８と画像イメージングモジュール４０の透明基板４４とは、相互に相対して、トランスミッティングチャンネル１４の両側に設置する。感知ユニット４が文書Ｐの走査面が白色であることを感知すると、感知信号を処理ユニット６へと発信する。処理ユニット６が、感知信号が白色を表すことを判断したなら、制御信号を発し、電子表示装置８へと伝送し、電子表示装置８は、黒色画面を表示する。すなわち、感知ユニット４が文書Ｐの走査面が黒色であることを感知すると、感知信号を処理ユニット６へと発信し、処理ユニット６が、感知信号が黒色を表すことを判断したなら、制御信号を電子表示装置８へと発信し、電子表示装置８は、白色画面を表示する。
トランスミッティングローラーユニット２２は、文書Ｐを画像イメージングモジュール４０へと送る。この時、画像イメージングモジュール４０の光源４２は、光ビームを発射する。光ビームは、透明基板４４を通過して、文書Ｐ上を照射し、光ビームは、文書Ｐの走査面を通過して、反射板４６により反射された後、感知部品４８上に像を結ぶ。感知部品４８は、光信号を電子信号に転換し、コンピューターCPU(図示なし)に伝送し、画像を生じる。表示装置８は、文書Ｐの後ろに位置し、しかも表示装置８の画面と文書Ｐとは白黒のコントラストを呈するため、文書辺縁の探知と文書の歪みの校正に有利である。背景色と文書色との対比のもう一つの長所は、薄い紙の背面の文字、或いは画像が正面に写り、正面画像の内容に対して干渉を生じることを防止可能な点である。
文書Ｐが画像イメージングモジュール４０を完全に通過後、トランスミッティングローラーユニット２２は、文書Ｐを取り入れローラーユニット２４へと送り、文書Ｐは、下流開口２８からトランスミッティングチャンネル１４へと排出される。
【００２１】
図５に示すように、本考案の電子表示装置の第二実施例では、電子表示装置８内の負電荷を帯びた黒色媒質６４及び正電荷を帯びた白色媒質６６は、２色球体６８に置換することができる。２色球体６８は、黒色半球体７０と白色半球体７２により組成し、黒色半球体７０は、負電荷を帯び、白色半球体７２は、正電荷を帯びる。文書Ｐが白色である時には、バックプレート電極板５６の極性は、駆動回路により負極に調整される。よって、バックプレート電極板５６は２色球体６８の転動を駆動し、白色半球体７２はバックプレート電極板５６に向かい、黒色半球体７０は、透明電極板５８に向う。具体的な実施時には、画像イメージングモジュール４０の感知部品４８を感知ユニット４の置換とすることができる。配線５４は、導線に置換可能で、透明電極板５８は、透明ガラス板である。
【００２２】
図６に示すように、本考案背景転換装置１の第二実施例では、背景転換装置１には、インプットユニット７４を設置する。インプットユニット７４は、スキャナー１０のハウジング３８上に設置し、処理ユニット６と連接する。使用者は、インプットユニット７４を操作することで、電子表示装置８の表示色を制御することができる。これにより、インプットユニット７４は、感知ユニット４に置換可能で、インプット信号を処理ユニット６へと発信し、こうして電子表示装置８の表示色を制御することができる。
【００２３】
具体的な実施時には、電子表示装置８は、多種のグレースケールを表示することができる。これにより、画像イメージングモジュール４０が、色彩の校正を行い、或いは文書のエッジを判断し、及び歪みを校正する時、より正確な校正効果、或いはより正確な判断結果を生じることができる。
上記したように、本考案スキャナーの背景転換装置１は、体積が小さいため、設置空間を節減することができ、電子製品の小型化に有利である。しかも、背景転換装置１は、外部信号を受信可能で、外部信号に基づき、電子表示装置８が表示する色を改変することができる。すなわち、本考案背景転換装置１は、小型スキャナー及びパーム型スキャナーへの設置に適している。
【符号の説明】
【００２４】
１  背景転換装置
２  シートフィードスキャナー
４  感知ユニット
６  処理ユニット
８  電子表示装置
１０  スキャナー
１２  自動シートフィード装置
１４  トランスミッティングチャンネル
１６  フィードトレイ
１８  取り入れローラー
２０  セパレートローラーユニット
２２  トランスミッティングローラーユニット
２４  取り入れローラーユニット
２６  上流開口
２８  下流開口
３０  セパレート主動ホイール
３２  セパレート停止ホイール
３４  主動ホイール
３６  受動ホイール
３８  ハウジング
４０  画像イメージングモジュール
４２  光源
４４  透明基板
４６  反射板
４８  感知部品
５０  駆動回路
５２  表示基板
５４  配線
５６  バックプレート電極板
５８  透明電極板
６０  マイクロカプセル
６２  透明流体
６４  黒色媒質
６６  白色媒質
６８  ２色球体
７０  黒色半球体
７２  白色半球体
７４  インプットユニット
Ｐ  文書
【図１】
0003160104.tif 000003
【図２】
0003160104.tif 000004
【図３】
0003160104.tif 000005
【図４】
0003160104.tif 000006
【図５】
0003160104.tif 000007
【図６】
0003160104.tif 000008